(57)【要約】【課題】男性器のサイズに応じた立体形状の形成が可能で、装着後に男性器から脱落し難く、装着感が良好な男性用失禁パッドを提供すること。【解決手段】本発明の男性用失禁パッド１は、男性器を挿入可能な男性器挿入部３を具備し、使用時に折曲線ＢＬに沿って長手方向Ｌに折り重ねられ立体形状にされる。失禁パッド１は、折曲線ＢＬによって、男性器挿入部３が設けられている前側領域Ｆと、立体形状にされた時に該前側領域Ｆと重ね合わされる後側領域Ｒとに区分され、該立体形状の内面を構成する面１Ａに、該立体形状において重ね合わされている前側領域Ｆと後側領域Ｒとの間を固定可能な立体形状固定手段４が設けられている。後側領域Ｒに存在する失禁パッド１の長手方向後側端２ｂの長さＷｂが、前側領域Ｆの幅方向Ｓの最大長さＷａよりも長い。【選択図】図１
2009125407.tif 000002
【特許請求の範囲】
【請求項１】
男性器を挿入可能な男性器挿入部を具備し、使用時に折曲線に沿って長手方向に折り重ねられ立体形状にされる男性用失禁パッドであって、
前記折曲線によって、前記男性器挿入部が設けられている前側領域と、前記立体形状にされた時に該前側領域と重ね合わされる後側領域とに区分され、該立体形状の内面を構成する面に、該立体形状において重ね合わされている該前側領域と該後側領域との間を固定可能な立体形状固定手段が設けられており、
前記後側領域に存在する前記失禁パッドの長手方向後側端の長さが、前記前側領域の幅方向の最大長さよりも長い男性用失禁パッド。
【請求項２】
前記男性器挿入部は、男性器の陰茎部分と共に陰嚢部分を挿入可能な大きさを有している請求項１記載の男性用失禁パッド。
【請求項３】
前記男性器挿入部は、前記失禁パッドの一部を切り欠いて形成されており、平面視において該失禁パッドの長手方向前側端から前記後側端に向かうにつれてその幅方向の長さが短くなっている請求項１又は２記載の男性用失禁パッド。
【請求項４】
前記後側領域における前記立体形状の外面を構成する面に、前記失禁パッドを着衣に固定する着衣固定手段が設けられている請求項１〜３の何れかに記載の男性用失禁パッド。
【請求項５】
水解性を有している請求項１〜４の何れかに記載の男性用失禁パッド。
【発明の詳細な説明】
【技術分野】
【０００１】
本発明は、男性用失禁パッドに関する。
【背景技術】
【０００２】
男性用失禁パッドには、漏れ防止性に優れると共に、装着が容易で、装着しても目立ちにくいことが求められる。このような消費者の要望に対応すべく、失禁パッドに関して種々の改良技術が提案されている。例えば特許文献１には、シートから形成され、使用時に該シートを長さ方向に二分する折曲線に沿って折り重ねられて袋状にされる男性用吸尿パッドが記載されている。この吸尿パッドにおいては、折り重ねられた前記シートの内面の前記折曲線を含む両側縁部の長さ方向の所要範囲に粘着域が対向して形成されており、且つ、該折曲線で二分される該パッドの一方に、該パッドをその内面から外面へ貫通するペニス挿入部が形成されている。
【０００３】
しかし、特許文献１に記載の男性用吸尿パッドにおいては、主に折曲線を境界線としてペニス挿入部が形成されている側と同じ側に、折り重ねられたシート同士を固定する粘着域が設けられているが、この場合、ペニス挿入部にペニスを挿入後、該ペニスを包むようにシートを折り重ねるときには、該粘着域の位置はペニスとの関係で固定されている。このため、特許文献１に記載の男性用吸尿パッドは、粘着域の位置を調整することができず、ペニスのサイズに応じた立体形状の形成が困難であった。しかも、失禁パッドが長方形形状であることから、立体形状の形成をより困難にしていた。このため、特許文献１に記載の男性用吸尿パッドは、ペニスのサイズによっては装着感が悪く、また、装着後にペニスから脱落し、失禁パッドとしての果たすべき作用効果（漏れ防止）を奏し得ないおそれがある。
【０００４】
【特許文献１】特開平１０−２３４７６５号公報
【発明の開示】
【発明が解決しようとする課題】
【０００５】
従って本発明の目的は、男性器のサイズに応じた立体形状の形成が可能で、装着後に男性器から脱落し難く、装着感が良好な男性用失禁パッドを提供することにある。
【課題を解決するための手段】
【０００６】
本発明は、男性器を挿入可能な男性器挿入部を具備し、使用時に折曲線に沿って長手方向に折り重ねられ立体形状にされる男性用失禁パッドであって、前記折曲線によって、前記男性器挿入部が設けられている前側領域と、前記立体形状にされた時に該前側領域と重ね合わされる後側領域とに区分され、該立体形状の内面を構成する面に、該立体形状において重ね合わされている該前側領域と該後側領域との間を固定可能な立体形状固定手段が設けられており、前記後側領域に存在する前記失禁パッドの長手方向後側端の長さが、前記前側領域の幅方向の最大長さよりも長い男性用失禁パッドを提供することにより、前記目的を達成したものである。
【発明の効果】
【０００７】
本発明の男性用失禁パッドは、装着が容易で、装着しても目立ちにくく、且つ、男性器のサイズに応じた立体形状の形成が可能で、装着後に男性器から脱落し難く、装着感が良好である。
【発明を実施するための最良の形態】
【０００８】
以下、本発明の男性用失禁パッド（以下、失禁パッドともいう）を、その好ましい実施形態に基づき図面を参照して説明する。
本実施形態の失禁パッド１は、図１に示すように、男性器を挿入可能な男性器挿入部３を具備し、図２に示すように、使用時に折曲線ＢＬに沿って長手方向Ｌに折り重ねられ立体形状にされる男性用失禁パッドである。失禁パッド１は、折曲線ＢＬによって、男性器挿入部３が設けられている前側領域Ｆと、立体形状にされた時に前側領域Ｆと重ね合わされる後側領域Ｒとに区分され、該立体形状の内面を構成する面１Ａに、該立体形状において重ね合わされている前側領域Ｆと後側領域Ｒとの間を固定可能な立体形状固定手段４，４が設けられている。本実施形態における折曲線ＢＬは、失禁パッド１（後述するシート材２）をその長手方向Ｌに二分する１本の直線である。
尚、本明細書において、図１中符合Ｌで示す長手方向は、折曲線ＢＬと直交する方向〔失禁パッド１（シート材２）が使用時に折り重ねられる方向〕であり、図１中符合Ｓで示す幅方向は、該長手方向と直交する方向である。
【０００９】
詳述すると、本実施形態の失禁パッド１は、図１に示すように、長手方向一端に符号３で示す切り欠き部を有する、全体として台形様形状のシート材２から形成されている。この切り欠き部は、男性器が挿入される男性器挿入部３である。
シート材２は、図１に示すように、表面シート２１、裏面シート２２、及び両シート２１，２２間に介在配置された吸収体２３を具備する３層構造であり、平面視において長手方向Ｌに縦長の台形様形状を有している。ここで「縦長」とは、台形様形状の失禁パッドにおいて、幅方向Ｓに沿って延びるその底辺（後側端２ｂ）よりも高さ（長手方向Ｌの長さ）の方が長いことを意味する。表面シート２１は、パッド使用時にシート材２を折り重ねた時に内面となる面（失禁パッド１が図２に示す如く立体形状にされた時の該立体形状の内面を構成する面、内面１Ａ）を構成し、裏面シート２２は、パッド使用時にシート材２を折り重ねた時に外面となる面（該立体形状の外面を構成する面、外面１Ｂ、図２参照）を構成している。
【００１０】
表面シート２１及び裏面シート２２は、何れも平面視において長手方向Ｌに縦長の台形様形状を有し、吸収体２３は、平面視において縦長の矩形形状を有している。表面シート２１及び裏面シート２２は、それぞれ、吸収体２３の長手方向両端及び長手方向両側縁それぞれから外方に延出しており、それらの延出部において接着剤やヒートシール等の公知の接合手段により互いに接合されている。また、表面シート２１と吸収体２３との間、及び吸収体２３と裏面シート２２との間は、それぞれ、接着剤等の公知の接着手段により接合されている。
【００１１】
本実施形態においては、後側領域Ｒに存在する失禁パッド１（シート材２）の長手方向後側端２ｂの長さＷｂが、前側領域Ｆの幅方向Ｓの最大長さ（最大幅）Ｗａよりも長い。より具体的には、失禁パッド１（シート材２）は、前側端２ａから後側端２ｂに向かうにつれて幅方向の長さが漸次大きくなる形状（台形様形状）に形成されており、最大幅Ｗａは、前側領域Ｆにおける折曲線ＢＬの近傍部位（折曲線ＢＬから２０ｍｍ以内の領域）の幅である。失禁パッド１（シート材２）がこのように形成されていることにより、失禁パッド１を装着する際に、男性器が挿入された幅狭の前側領域Ｆを、幅広の後側領域Ｒで包むことになるため、図２及び図３に示すように、男性器のサイズ及び形状に応じた適切な立体形状の形成が可能となる。
後側端２ｂの長さ幅Ｗｂと前側領域Ｆの最大幅Ｗａとの比（Ｗｂ／Ｗａ）は、好ましくは１．２〜１．８、更に好ましくは１．６〜１．８である。
【００１２】
本実施形態における男性器挿入部３は、前側領域Ｆに形成されている。より具体的には、シート材２の前側端２ａと折曲線ＢＬとの間における該シート材２の幅方向中央部に形成されている。男性器挿入部３は、シート材２の幅方向中央部で、且つ前側端２ａから長手方向の内方に該シート材２の長手方向の全長の１０〜３０％以内、特に１５〜２５％以内の領域に設けられることが好ましい。
【００１３】
本実施形態における男性器挿入部３は、失禁パッド（シート材２）の一部を切り欠いて形成されており、平面視においてシート材２の長手方向前側端２ａから後側端２ｂに向かうにつれてその幅方向の長さが漸次短くなっており、台形形状を有している。男性器挿入部３がこのように形成されていることにより、装着時に男性器をパッド内に容易に導入させることができ、なおかつパッド幅方向中央部に配置させることができる。
【００１４】
本実施形態における男性器挿入部３は、図２に示すように、男性器の陰茎部分Ｓ１と共に陰嚢部分Ｓ２を挿入可能な大きさを有している。このように、男性器挿入部３が男性器全体を挿入可能な大きさを有していることにより、特許文献１に記載の男性用吸尿パッドのようにペニスのみを挿入可能な男性器挿入部を採用した場合に比して、装着時における失禁パッドの安定性が高まり、パッドのズレや脱落が一層効果的に防止される。
男性器挿入部３の大きさは、男性器全体を挿入可能にする観点から、シート材２の長手方向Ｌに沿った長さＲ１が、好ましくは３０〜１００ｍｍ、更に好ましくは５０〜８０ｍｍであり、シート材２の幅方向Ｓに沿った最大長さＲ２が、好ましくは３０〜１００ｍｍ、更に好ましくは５０〜８０ｍｍである。
【００１５】
本実施形態における立体形状固定手段４は、図１に示すように、後側領域Ｒの内面１Ａで且つ失禁パッド１（シート材２）の長手方向左右両側部それぞれの後側端２ｂ近傍に位置している。ここで、「後側端２ｂ近傍に位置している」とは、後側端２ｂを含むその近傍に立体形状固定手段４が位置していることを意味する。後側端２ｂと立体形状固定手段４との間の離間距離Ｐ１は、好ましくは０〜１００ｍｍ以内、更に好ましくは５〜５０ｍｍ以内である。
図２に示すように折り重ねられた前側領域Ｆと後側領域Ｒとの間を固定する立体形状固定手段４が斯かる位置に存していることにより、男性器挿入部３に男性器を挿入後、該男性器を包むようにシート材２を折り重ねて立体形状を形成する際に、該男性器の周辺の任意の位置に立体形状固定手段４を固定させることが可能となる。このため、失禁パッド１は、男性器のサイズに応じた立体形状の形成、サイズ調整が可能であり、これにより、装着感が良好で、装着後に男性器から脱落し難く、漏れ防止性に優れている。
【００１６】
これに対し、例えば特許文献１に具体的に記載されている男性用吸尿パッドのように、立体形状固定手段４の配設位置が、折曲線ＢＬを境界線としてシート材２の男性器挿入部３が形成されている側と同じ側（前側領域Ｆ）、あるいは折曲線ＢＬを含むその近傍である場合は、男性器挿入部３に男性器を挿入後、該男性器を包むようにシート材２を折り重ねて立体形状を形成する際に、立体形状固定手段４を男性器の周辺の任意の位置に固定させることが難しく、男性器のサイズに応じた立体形状の形成、サイズ調整が困難である。
【００１７】
立体形状固定手段４は、上述の効果をより確実に奏させるようにする観点から、シート材２の長手方向側縁２ｃを含むその近傍に位置していることが好ましい。シート材２の長手方向側縁２ｃと立体形状固定手段４との間の離間距離Ｐ２は、好ましくは０〜３０ｍｍ以内、更に好ましくは５〜２０ｍｍ以内である。
【００１８】
立体形状固定手段４の長手方向Ｌに沿った長さＬ１は、シート材２の長手方向Ｌの全長に対して、好ましくは５〜５０％、更に好ましくは１０〜４０％である。
立体形状固定手段４の幅方向Ｓに沿った長さＷ１は、前側領域Ｆの幅方向Ｓの最大長さに対して、好ましくは５〜２５％、更に好ましくは５〜１５％である。
また、通常、立体形状固定手段４の長さＬ１は、好ましくは２〜１５ｍｍ、更に好ましくは５〜１０ｍｍであり、長さＷ１は、好ましくは５〜３０ｍｍ、更に好ましくは５〜２０ｍｍである。
【００１９】
本実施形態における立体形状固定手段４は、図１及び図２に示すように、平面視で矩形形状を有し、その長手方向がシート材２の長手方向と一致している。本実施形態における立体形状固定手段４は、ホットメルト粘着剤等の公知の粘着剤を内面１Ａの所定部位（後側領域Ｒにおける吸収体２３が配されていないシート材２の長手方向両側縁部）に塗布することにより形成されている。該粘着剤の塗布量は特に制限されず、適宜設定することができる。
【００２０】
本実施形態の失禁パッド１においては、後側領域Ｒにおける前記立体形状の外面を構成する外面１Ｂに、失禁パッド１を着衣に固定する着衣固定手段５が設けられている。後側領域Ｒの外面１Ｂは、失禁パッド１の使用時にパッド装着者の着衣（下着）の内面と当接する面であり、斯かる面に着衣固定手段５が設けられていることにより、着衣固定手段５を介して失禁パッド１が着衣に固定されるため、装着後に失禁パッド１が男性器から脱落することがより確実に防止される。
【００２１】
着衣固定手段５は、パッドの脱落防止効果を高める観点から、後側領域Ｒにおいて折曲線ＢＬを含むその近傍に位置していることが好ましい。折曲線ＢＬと着衣固定手段５との間の離間距離Ｐ３は、好ましくは１０〜１５０ｍｍ以内、更に好ましくは２０〜１００ｍｍ以内である。
【００２２】
着衣固定手段５の長手方向Ｌに沿った長さＬ２は、シート材２の長手方向の全長に対して、好ましくは５〜４０％、更に好ましくは１０〜３０％である。
着衣固定手段５の幅方向Ｓに沿った長さＷ２は、後側領域Ｒの幅方向Ｓの最大長さ（本実施形態では後側端２ｂの長さＷｂ）に対して、好ましくは１０〜８０％、更に好ましくは２０〜５０％である。
また、通常、着衣固定手段５の長さＬ２は、好ましくは２０〜１５０ｍｍ、更に好ましくは４０〜１００ｍｍであり、長さＷ２は、好ましくは１０〜１２０ｍｍ、更に好ましくは１５〜８０ｍｍである。
【００２３】
本実施形態における着衣固定手段５は、図１及び図２に示すように、平面視で矩形形状を有し、その長手方向をシート材２の長手方向に一致させて、後側領域Ｒの外面１ｂの幅方向中央部に１つ配されている。本実施形態における着衣固定手段５は、立体形状固定手段４と同様に、ホットメルト粘着剤等の公知の粘着剤を所定部位に塗布することにより形成されている。該粘着剤の塗布量は特に制限されず、適宜設定することができる。
【００２４】
本実施形態においては、図１に示すように、立体形状固定手段４と着衣固定手段５とは、シート材２の幅方向に位置をずらして配置されている。即ち、後側領域Ｒにシート材２の幅方向Ｓと平行な１本の仮想直線（図示せず）を引いたときに、立体形状固定手段４及び着衣固定手段５の両方が該１本の仮想直線と重ならないように、立体形状固定手段４及び着衣固定手段５をそれぞれ配している。
【００２５】
失禁パッド１における各部の形成材料について説明すると、シート材２を構成する表面シート２１、裏面シート２２及び吸収体２３としては、それぞれ、従来のこの種の失禁パッドにおいて用いられているものを特に制限なく用いることができる。表面シート２１としては、例えば不織布や開孔フィルム等の各種液透過性のシート材を用いることができる。裏面シート２２としては、例えば透湿性を有しない樹脂フィルムや、微細孔を有し透湿性を有する樹脂フィルム、撥水不織布等の不織布、あるいはこれらを適宜貼り合わせてなる複合シート等を用いることができる。吸収体２３としては、例えばパルプ繊維を堆積させて得られた積繊層（紙）、パルプ繊維を原料とする不織布からなるものを用いることができ、これらに吸収性ポリマーを含有させても良い。また、吸収体２３は、ティッシュペーパー等の紙や各種不織布等の被覆シートで被覆されていても良い。
【００２６】
失禁パッド１（シート材２）は水解性を有していることが好ましい。ここで、水解性とは、シート材を通常の水洗トイレに流したときに、その水流により該シート材が崩壊し、水洗トイレを詰まらせることなく流すことができる性能であり、水溶性（水に溶けることができる性能）を含む。シート材２が水解性を有していることにより、使用済みの失禁パッド１をトイレに流して廃棄することが可能となり、取り扱い性が一層向上する。
【００２７】
シート材２に水解性を付与する観点から、シート材２（表面シート２１、裏面シート２２、吸収体２３）は、水への分散性能を示す繊維成分を主体として構成されていることが好ましい。水解性のシート材２に好ましく用いられる繊維成分としては、木材パルプ繊維、非木材系植物繊維、レーヨン繊維、ポリエステル繊維等の合成繊維等を挙げることができる。水解性のシート材２には、必要に応じ、多糖誘導体、合成高分子及び天然物等の水溶性バインダー、紙力増強剤等を含有させることができる。
【００２８】
水解性を有する３層構造のシート材２を構成する表面シート、裏面シート及び吸収体としては、それぞれ下記１）〜３）が挙げられる。
１）表面シート：パルプ繊維又はパルプ繊維とレーヨン繊維との混合物を原料として得られたシートに、ポリビニルアルコール（以下、ＰＶＡという）やカルボキシメチルセルロース（以下、ＣＭＣという）等の水溶性バインダーを施してなる水解紙。該水解紙において、水溶性バインダーの使用量は、繊維の重量に対して好ましくは０．５〜１０重量％である。；ＰＶＡ繊維、パルプ繊維、綿、レーヨン若しくはテンセル等の再生セルロース繊維、ポリエチレン（以下、ＰＥという）繊維、ポリプロピレン（以下、ＰＰという）繊維又はポリエチレンテレフタレート（以下、ＰＥＴという）繊維等を原料とする紙若しくは不織布又はこれらの複合体。
２）裏面シート：ＰＶＡフィルム、ＰＶＡ繊維、パルプ繊維、レーヨン繊維、ＰＥ繊維、ＰＰ繊維、ＰＥＴ繊維等を原料とする紙若しくは不織布、又はこれらの複合体。
３）吸収体：ＰＶＡ繊維、パルプ繊維、レーヨン繊維、ＰＥ繊維、ＰＰ繊維、ＰＥＴ繊維等を原料とする紙若しくは不織布又はウエブ；これらの複合体；これらに高吸収性ポリマーの粒子を混合したもの。
【００２９】
また、吸収体２３は、表面シート２１に比べて吸液量が多いか、又は毛管力が大きいことが好ましい。吸収体２３が斯かる特性を有していることにより、表面シート２２から吸収体２３へ液が移行しやすくなり、表面シート２１の強度低下が効果的に抑えられる。斯かる特性を有する吸収体２３の材料としては、乾式パルプシート、エアレイドシート、水流交絡方法で形成されたシート、ミクロフィブリル化したパルプ繊維を少なくとも一部混合させたパルプ積繊体が挙げられる。
【００３０】
シート材２の坪量は、男性用失禁パッドとして充分な尿吸収能を有し、且つ装着しても目立ちにくくする観点から、好ましくは２０〜３００ｇ／ｍ2、更に好ましくは５０〜２００ｇ／ｍ2である。
またシート材２の無荷重下における厚みは、同様の観点から、好ましくは１〜１５ｍｍ、更に好ましくは１〜１０ｍｍである。
また、シート材２の寸法は特に制限されないが、男性用失禁パッドとして充分な尿吸収能を有し、且つ持ち運びが容易で装着しても目立ちにくくする観点から、シート材２の長手方向Ｌの長さは、好ましくは２０〜６０ｃｍであり、幅方向Ｓの長さは、好ましくは２０〜４０ｃｍである。
【００３１】
シート材２には、必要に応じ、その外面１Ｂ側（裏面シート２２）に撥水処理を施しても良い。外面１Ｂ側に撥水処理が施されていると、パッド装着中に吸収した尿が染み出して装着者の肌や着衣を汚すことを防止できる。シート材２の撥水処理は、例えばフッ素、シリコーン、ジメチルシリコーン等の従来公知の撥水剤を、外面１Ｂに塗布、噴霧する等の公知の加工法によって行なうことができる。
【００３２】
また、尿等の排泄物に起因する悪臭を抑える観点から、シート材２（表面シート２１、裏面シート２２、吸収体２３）に消臭剤を含有させても良い。消臭剤としては、例えば、塩化亜鉛賦活活性炭、ゼオライト、アモルファスシリカ、ベントナイト、活性アルミナ、活性白土等、特開２００４−２４４７８９に記載される抗菌性を有する金属を含むカンクリナイト様鉱物、架橋性ビニルモノマー及びヘテロ芳香環を有するビニルモノマーを含むモノマー成分を共重合して得られる金属イオンを含有している消臭粒子等が挙げられ、これらの１種を単独で又は２種以上を混合して使用することができる。消臭剤の含有量は、失禁パッド１の全重量に対して、好ましくは０．1〜１．５重量％、更に好ましくは０．３〜１．０重量％である。
【００３３】
本実施形態の失禁パッド１は、通常、下着（パンツ）の中で肌に直接当てて使用される。失禁パッド１を使用するには、図１に示す如き展開状態（シート材２が折り曲げられていない状態）の失禁パッド１の男性器挿入部３に男性器全体（陰茎部分Ｓ１及び陰嚢部分Ｓ２）を挿入した後、該男性器全体を包むように折曲線ＢＬに沿ってシート材２を折り重ね、折り重ねられたシート材２同士（前側領域Ｆと後側領域Ｒ）を立体形状固定手段４，４によって固定して立体形状とする。こうして、男性器全体に立体形状の失禁パッド１を装着した後、該失禁パッド１の上から下着を装着して使用する。
【００３４】
尚、本発明に係る折曲線は、本実施形態における折曲線ＢＬのようにシート材２を長手方向に二分する直線である必要はなく、失禁パッド１（シート材２）の幅方向Ｓに延びる折曲線として任意の位置に設定可能である。通常、折曲線ＢＬは、シート材２を長手方向に二分する仮想直線（図示せず）から長手方向後側端２ｂ側にシート材２の長手方向の全長の４０〜７０％以内の領域に設定される。
【００３５】
本実施形態の失禁パッド１は、後側領域Ｒに存在する失禁パッド１（シート材２）の長手方向後側端２ｂの長さＷｂが、前側領域Ｆの幅方向Ｓの最大長さＷａよりも長い（Ｗａ＜Ｗｂ）ため、装着が容易で、男性器のサイズに応じた立体形状を形成し易く、また、立体形状のサイズ調整が容易である。このため、失禁パッド１は、装着感が良好で、装着後に男性器から脱落し難く、漏れ防止性に優れている。また、失禁パッド１は、シート材２から形成されているため、持ち運びが簡単で携帯性に優れ、装着しても目立ちにくい。
【００３６】
特に、本実施形態の失禁パッド１は、上記のようにＷａ＜Ｗｂであることに加えて、更に、立体形状固定手段４が、後側領域Ｒの内面１Ａで且つ失禁パッド１（シート材２）の長手方向左右両側部それぞれの後側端２ｂ近傍に位置しているため、Ｗａ＜Ｗｂによって奏される効果（良好な装着感、パッドが脱落し難い、漏れ防止性に優れる）が、より一層高いレベルで確実に奏される。
【００３７】
また、本実施形態の失禁パッド１は、男性器挿入部３が男性器の陰茎部分Ｓ１と共に陰嚢部分Ｓ２を挿入可能な大きさを有しているため、装着安定性が高く、パッドのズレや脱落を起こし難い。また、着衣固定手段５が設けられていることによって、更にパッドのズレや脱落を起こし難い構成となっている。
また、失禁パッド１（シート材２）が水解性を有していることにより、使用後は水洗トイレに流して廃棄でき、後処理を簡単に済ますことができる。
【００３８】
本発明の失禁パッドは、上述した実施形態に制限されるものではなく、本発明の趣旨を逸脱しない範囲において種々変形可能である。
例えば、シート材２としては、上述の如き３層構造のものに制限されず、４層以上の多層構造であっても良く、あるいは表面シート２１と吸収体２３との２層構造、あるいは吸水性を有する１枚のシート（紙、不織布等）のみからなる単層構造であっても良い。
また、男性器挿入部３の平面視における形状は、図１に示す如き台形様形状に限定されず、横長もしくは縦長の楕円形形状、円形形状、四角、逆台形、逆三角形等でも良い。
【００３９】
また、立体形状固定手段４及び着衣固定手段５の平面視における形状は、図１に示す如き矩形形状に限定されず、縞模様や水玉模様等によるパターン形状等でも良い。
また、立体形状固定手段４及び着衣固定手段５は、何れも、図１に示すようにシート材２の長手方向に連続的に形成されていなくても良く、該長手方向に不連続に形成されていても良い。
また、着衣固定手段５の配置数及び配置位置は、上述した実施形態に制限されず、それぞれ適宜設定可能である。
また、立体形状固定手段４及び着衣固定手段５は、前記実施形態では何れも粘着剤を塗布して形成されていたが、メカニカルファスナーのオス材等から形成しても良い。
上述した一の実施形態のみが有する部分は、すべて適宜相互に利用できる。
【図面の簡単な説明】
【００４０】
【図１】図１は、本発明の一実施形態の失禁パッドの表面シート側を一部破断して示す平面図である。
【図２】図２は、図１に示す失禁パッドを折り重ねた状態を示す斜視図である。
【図３】図３は、図２のＩ−Ｉ線断面を模式的に示す断面図である。
【符号の説明】
【００４１】
１  失禁パッド
２  シート材
２ａ  失禁パッド（シート材）の長手方向前側端
２ｂ  失禁パッド（シート材）の長手方向後側端
２１  表面シート
２２  裏面シート
２３  吸収体
３  男性器挿入部
４  立体形状固定手段
５  着衣固定手段
１Ａ  立体形状の内面を構成する面
１Ｂ  立体形状の外面を構成する面
Ｆ  前側領域
Ｒ  後側領域
ＢＬ  折曲線（シート材を長手方向に二分する直線）
Ｓ１  男性器の陰茎部分
Ｓ２  男性器の陰嚢部分
【図１】
2009125407.tif 000003
【図２】
2009125407.tif 000004
【図３】
2009125407.tif 000005